(57)【特許請求の範囲】
【請求項１】
放水装置に取り付けて、前記放水装置が所定の放水圧力で放水するように制限する放水制限装置であって、
前記放水制限装置は、前記放水装置の放水圧力を検知する圧力検知部と、
前記放水装置の放水圧力が所定の圧力に達するまで前記放水装置の放水部から放水される水が当たる様に前記放水部を覆うデフレクタ部と、
前記放水装置の放水圧力が前記所定の圧力に達すると、前記デフレクタ部を前記放水部から移動させるデフレクタ制御部を備えていることを特徴とする放水制限装置。
【請求項２】
前記圧力検知部は、前記放水装置に導入される圧力水の圧力を検出し、
前記デフレクタ制御部は、前記放水装置に導入される圧力水の圧力が所定の圧力に達すると、前記圧力水の圧力によって、前記デフレクタ都を前記放水部から移動させることを特徴とする請求項１に記載の放水制限装置。
【請求項３】
前記圧力検知部は、前記放水装置に導入される圧力水の圧力を検出し、
前記デフレクタ制御部は、前記放水装置に導入される圧力水の圧力が所定の圧力に達すると、電動駆動によって、前記デフレクタ都を前記放水部から移動させることを特徴とする請求項１に記載の放水制限装置。
【請求項４】
放水装置に取り付けて、前記放水装置が所定の放水圧力で放水するように制限する放水制限装置であって、
前記放水制限装置は、前記放水装置の放水圧力を検知する圧力検知部と、
前記放水装置の放水部を覆って放水を妨げるデフレクタ部と、
前記放水装置の放水圧力が所定の圧力に達すると、前記デフレクタ部を前記放水部から移動させるデフレクタ制御部を備えており、
前記圧力検知部は、感圧部にかかる圧力によって開閉するパイロット弁と、前記放水装置に導入される圧力水を分岐して、前記パイロット弁に流入させる圧力信号配管と、を備え、前記放水装置に導入される圧力水の圧力を検出するものであり、
前記デフレクタ制御部は、前記圧力水が流入するシリンダと、前記シリンダ内にあって、前記シリンダ内に流入した前記圧力水によって移動するピストンと、前記シリンダ内にあって、前記ピストンを前記圧力水の圧力に抗する方向に付勢するスプリングと、前記ピストンに接続され、前記ピストンの移動によって、前記デフレクタ部を移動させるアーム部と、を備え、前記放水装置に導入される圧力水の圧力が所定の圧力に達すると、前記圧力水の圧力によって、前記デフレクタ都を前記放水部から移動させるものであり、
前記圧力信号配管は、前記放水装置から分岐した後、更に分岐して、一方は前記パイロット弁の前記感圧部に接続され、他方は更に分岐して、一端は前記パイロット弁の弁部に接続され、他端は前記シリンダに接続され、
前記パイロット弁は、常時は開放していて、前記圧力水が前記所定の放水圧力以上となると閉止し、
前記パイロット弁が閉止すると、前記シリンダ内に前記加圧水が流入して、前記デフレクタ部を前記放水部から移動させることを特徴とする放水制限装置。
【請求項５】
放水装置に取り付けて、前記放水装置が所定の放水圧力で放水するように制限する放水制限装置であって、
前記放水制限装置は、前記放水装置の放水圧力を検知する圧力検知部と、
前記放水装置の放水部を覆って放水を妨げるデフレクタ部と、
前記放水装置の放水圧力が所定の圧力に達すると、前記デフレクタ部を前記放水部から移動させるデフレクタ制御部を備えており、
前記圧力検知部は、１つの流入口と２つの排出口を有し、感圧部にかかる圧力によって流路を切り換えるパイロット弁と、前記放水装置に導入される圧力水を分岐して、前記パイロット弁に流入させる圧力信号配管と、を備え、前記放水装置に導入される圧力水の圧力を検出するものであり、
前記デフレクタ制御部は、前記圧力水が流入するシリンダと、前記シリンダ内にあって、前記シリンダ内に流入した前記圧力水によって移動するピストンと、前記シリンダ内にあって、前記ピストンを前記圧力水の圧力に抗する方向に付勢するスプリングと、前記ピストンに接続され、前記ピストンの移動によって、前記デフレクタ部を移動させるアーム部と、を備え、前記放水装置に導入される圧力水の圧力が所定の圧力に達すると、前記圧力水の圧力によって、前記デフレクタ都を前記放水部から移動させるものであり、
前記圧力信号配管は、前記放水装置から分岐した後、更に分岐して、一方は前記パイロット弁の前記感圧部に接続され、他方は前記パイロット弁の前記流入口に接続され、
前記パイロット弁は、前記排出口の一端を前記シリンダに接続され、常時は排水側への流路を開放していて、前記圧力水が前記所定の放水圧力以上となると流路を前記シリンダへの流路に切り換え、前記シリンダ内に前記加圧水が流入して、前記デフレクタ部を前記放水部から移動させることを特徴とする放水制限装置。
【発明の詳細な説明】
【技術分野】
【０００１】
本発明は、放水銃等の放水制限装置に関する。
【背景技術】
【０００２】
従来、放水銃を備えた装置として、放水のための水流を利用して左右に反復運動させるもの、手動によりノズルを上下左右に動かし照準をつけるものやそれらを電動で行うもの等、様々なものが知られている（例えば、特許文献１を参照）。
【先行技術文献】
【特許文献】
【０００３】
【特許文献１】特公昭４８−３５８０７号公報
【発明の概要】
【発明が解決しようとする課題】
【０００４】
これら装置は、放水のためにポンプ等を用いて水を加圧する必要があるが、常時は加圧されていないため、放水時にポンプを起動しても放水圧力が所定の圧力に達するまでに多少の時間がかかる。又、放水銃はノズルが開放型であるものが多く、ポンプを起動した直後から放水が開始されるが、放水圧力が所定の圧力に達するまでの間、放水圧力が不足した状態で放水されていることとなるため、所望の放水パターン、飛距離が得られないという問題があった。
【０００５】
特に、設置場所が神社・仏閣等の文化財である場合、屋根を狙って設計された放水銃からの放水が放水開始直後やポンプ停止直後に設計した放水距離が得られず、軒や壁に放水し、貴重な文化財に破損や汚損などの損害を与えてしまう可能性があった。
【０００６】
そこで、本発明は放水圧力が所定の圧力に達するまでの間、放水銃等の放水を制限する放水銃等の放水制限装置を提供することを目的とする。
【課題を解決するための手段】
【０００７】
本発明は、放水銃等に取り付けて、前記放水銃等が所定の放水圧力で放水するように制限する放水制限装置であって、前記放水制限装置は、前記放水銃等の放水圧力を検知する圧力検知部と、前記放水銃等の放水部を覆って放水を妨げるデフレクタ部と、前記放水銃等の放水圧力が所定の圧力に達すると、前記デフレクタ部を前記放水部から移動させるデフレクタ制御部を備えていることを特徴とする放水制限装置であり、例えば、前記デフレクタ部が、前記放水銃等の放水圧力が所定の圧力に達するまで前記放水銃等の放水部から放水される水が当たる様に前記放水部を覆うデフレクタ部である放水制限装置である。
【０００８】
又、本発明は、前記圧力検知部は、前記放水銃等に導入される圧力水の圧力を検出し、前記デフレクタ制御部は、前記放水銃等に導入される圧力水の圧力が所定の圧力に達すると、前記圧力水の圧力によって、前記デフレクタ都を前記放水部から移動させることを特徴とする放水制限装置である。
【０００９】
又、本発明は、前記圧力検知部は、前記放水銃等に導入される圧力水の圧力を検出し、前記デフレクタ制御部は、前記放水銃等に導入される圧力水の圧力が所定の圧力に達すると、電動駆動によって、前記デフレクタ都を前記放水部から移動させることを特徴とする放水制限装置である。
【００１０】
又、本発明は、前記圧力検知部は、感圧部にかかる圧力によって開閉するパイロット弁と、前記放水銃等に導入される圧力水を分岐して、前記パイロット弁に流入させる圧力信号配管と、を備え、前記デフレクタ制御部は、前記圧力水が流入するシリンダと、前記シリンダ内にあって、前記シリンダ内に流入した前記圧力水によって移動するピストンと、前記シリンダ内にあって、前記ピストンを前記圧力水の圧力に抗する方向に付勢するスプリングと、前記ピストンに接続され、前記ピストンの移動によって、前記デフレクタ部を移動させるアーム部と、を備え、前記圧力信号配管は、前記放水銃等から分岐した後、更に分岐して、一方は前記パイロット弁の前記感圧部に接続され、他方は更に分岐して、一端は前記パイロット弁の弁部に接続され、他端は前記シリンダに接続され、前記パイロット弁は、常時は開放していて、前記圧力水が前記所定の放水圧力以上となると閉止し、前記パイロット弁が閉止すると、前記シリンダ内に前記加圧水が流入して、前記デフレクタ部を前記放水部から移動させることを特徴とする放水制限装置である。
【００１１】
又、本発明は、前記圧力検知部は、１つの流入口と２つの排出口を有し、感圧部にかかる圧力によって流路を切り換えるパイロット弁と、前記放水銃等に導入される圧力水を分岐して、前記パイロット弁に流入させる圧力信号配管と、を備え、前記デフレクタ制御部は、前記圧力水が流入するシリンダと、前記シリンダ内にあって、前記シリンダ内に流入した前記圧力水によって移動するピストンと、前記シリンダ内にあって、前記ピストンを前記圧力水の圧力に抗する方向に付勢するスプリングと、前記ピストンに接続され、前記ピストンの移動によって、前記デフレクタ部を移動させるアーム部と、を備え、前記圧力信号配管は、前記放水銃等から分岐した後、更に分岐して、一方は前記パイロット弁の前記感圧部に接続され、他方は前記パイロット弁の前記流入口に接続され、前記パイロット弁は、前記排出口の一端を前記シリンダに接続され、常時は排水側への流路を開放していて、前記圧力水が前記所定の放水圧力以上となると流路を前記シリンダへの流路に切り換え、前記シリンダ内に前記加圧水が流入して、前記デフレクタ部を前記放水部から移動させることを特徴とする放水制限装置である。
【００１２】
又、本発明は、前記圧力検知部は、感圧部にかかる圧力によってオン・オフする圧力スイッチと、前記圧力スイッチのオン・オフ信号に基づいて開閉する電動弁と、前記放水銃等に導入される圧力水を分岐して、前記圧力スイッチおよび前記電動弁に流入させる圧力信号配管と、を備え、前記デフレクタ制御部は、前記圧力水が流入するシリンダと、前記シリンダ内にあって、前記シリンダ内に流入した前記圧力水によって移動するピストンと、前記シリンダ内にあって、前記ピストンを前記圧力水の圧力に抗する方向に付勢するスプリングと、前記ピストンに接続され、前記ピストンの移動によって、前記デフレクタ部を移動させるアーム部と、を備え、前記圧力信号配管は、前記放水銃等から分岐した後、更に分岐して、一方は前記圧力スイッチの前記感圧部に接続され、他方は更に分岐して、一端は前記電動弁の弁部に接続され、他端は前記シリンダに接続され、前記電動弁は、常時は開放していて、前記圧力水が前記所定の放水圧力以上となると閉止し、前記電動弁が閉止すると、前記シリンダ内に前記加圧水が流入して、前記デフレクタ部を前記放水部から移動させることを特徴とする放水制限装置である。
【００１３】
又、本発明は、前記圧力検知部は、感圧部にかかる圧力によってオン・オフする圧力スイッチと、１つの流入口と２つの排出口を有し、前記圧力スイッチのオン・オフ信号に基づいて流路を切り換える電動弁と、前記放水銃等に導入される圧力水を分岐して、前記圧力スイッチおよび前記電動弁に流入させる圧力信号配管と、を備え、前記デフレクタ制御部は、前記圧力水が流入するシリンダと、前記シリンダ内にあって、前記シリンダ内に流入した前記圧力水によって移動するピストンと、前記シリンダ内にあって、前記ピストンを前記圧カ水の圧力に抗する方向に付勢するスプリングと、前記ピストンに接続され、前記ピストンの移動によって、前記デフレクタ部を移動させるアーム部と、を備え、前記圧力信号配管は、前記放水銃等から分岐した後、さらに分岐して、一方は前記圧力スイッチの前記感圧部に接続され、他方は前記電動弁の前記流入口に接続され、前記電動弁は、前記排出口の一端を前記シリンダと接続され、常時は排水側への流路を開放していて、前記圧力水が前記所定の放水圧力以上となると流路を前記シリンダへの流路に切り換えし、前記シリンダ内に前記加圧水が流入して、前記デフレクタ部を前記放水部から移動させることを特徴とする放水制限装置である。
【００１４】
又、本発明は、前記圧力検知部は、圧力測定部にかかる圧力を測定する圧力センサと、前記圧力センサの測定値に基づいて開閉する電動弁と、前記放水銃等に導入される圧力水を分岐して、前記圧力センサおよび前記電動弁に流入させる圧力信号配管と、を備え、前記デフレクタ制御部は、前記圧力水が流入するシリンダと、前記シリンダ内にあって、前記シリンダ内に流入した前記圧力水によって移動するピストンと、前記シリンダ内にあって、前記ピストンを前記圧力水の圧力に抗する方向に付勢するスプリングと、前記ピストンに接続され、前記ピストンの移動によって、前記デフレクタ部を移動させるアーム部と、を備え、前記圧力信号配管は、前記放水銃等から分岐した後、更に分岐して、一方は前記圧力センサの前記圧力測定部に接続され、他方は更に分岐して、一端は前記電動弁の弁部に接続され、他端は前記シリンダに接続され、前記電動弁は、常時は開放していて、前記圧力水が前記所定の放水圧力以上となると閉止し、前記電動弁が閉止すると、前記シリンダ内に前記加圧水が流入して、前記デフレクタ部を前記放水部から移動させることを特徴とする放水制限装置である。
【００１５】
又、本発明は、前記圧力検知部は、圧力測定部にかかる圧力を測定する圧力センサと、１つの流入口と２つの排出口を有し、前記圧力センサの測定値に基づいて流路を切り換える電動弁と、前記放水銃等に導入される圧力水を分岐して、前記電動弁に流入させる圧力信号配管と、を備え、前記デフレクタ制御部は、前記圧力水が流入するシリンダと、前記シリンダ内にあって、前記シリンダ内に流入した前記圧力水によって移動するピストンと、前記シリンダ内にあって、前記ピストンを前記圧力水の圧力に抗する方向に付勢するスプリングと、前記ピストンに接続され、前記ピストンの移動によって、前記デフレクタ部を移動させるアーム部と、を備え、前記圧力信号配管は、前記放水銃等から分岐した後、更に分岐して、一方は前記圧力センサの前記圧力測定部に接続され、他方は前記電動弁の前記流入口に接続され、前記電動弁は、前記排出口の一端を前記シリンダと接続され、常時は排水側への流路を開放していて、前記圧力水が前記所定の放水圧力以上となると流路を前記シリンダへの流路に切り換えし、前記シリンダ内に前記加圧水が流入して、前記デフレクタ部を前記放水部から移動させることを特徴とする放水制限装置である。
【００１６】
又、本発明は、前記圧力検知部は、感圧部にかかる圧力によってオン・オフする圧力スイッチと、前記放水銃等に導入される圧力水を分岐して、前記圧力スイッチの前記感圧部に流入させる圧力信号配管と、を備え、前記デフレクタ制御部は、モータによって前記デフレクタ部を移動させるアーム部と、を備え、前記圧力スイッチがオンすると、前記デフレクタ部を前記放水部から移動させることを特徴とする放水制限装置である。
【００１７】
又、本発明は、前記圧力検知部は、圧力測定部にかかる圧力を測定する圧力センサと、前記放水銃等に導入される圧力水を分岐して、前記圧力センサの前記圧力測定部に流入させる圧力信号配管と、を備え、前記デフレクタ制御部は、モータによって前記デフレクタ部を移動させるアーム部と、を備え、前記圧力センサが所定の圧力値を測定すると、前記デフレクタ部を前記放水部から移動させることを特微とする放水制限装置である。
【発明の効果】
【００１８】
本発明は、放水圧力が所定の圧力になるまでノズルから放水される水をデフレクタ部に当てて放水銃周辺に流出させ、放水圧力が所定の圧力になると、デフレクタ部を移動させるので、所定圧力以上でのみ放水することができる。これによって所望の飛距離以外での放水を防ぐことができる。
【図面の簡単な説明】
【００１９】
【図１】本発明の第１実施形態を示す系統図であり、放水銃に取り付けられた状態を示すと共に、（ａ）は放水を制限している時の状態を示し、（ｂ）は放水を制限していない時の状態を示す図である。
【図２】本発明の第１実施形態が取り付けられた放水銃の側面を示す部分断面図であり、放水を制限している時の状態を示す図である。
【図３】図２の要部拡大図である。
【図４】本発明の第１実施形態が取り付けられた放水銃の正面を示す片側断面図であり、放水を制限している時の状態を示す図である。
【図５】図２の放水を制限していない時の状態を示す図である。
【図６】図５の要部拡大図である。
【図７】図４の放水を制限していない時の状態を示す図である。
【図８】本発明の第２実施形態を示す系統図であり、放水銃に取り付けられた状態を示すと共に、（ａ）は放水を制限している時の状態を示し、（ｂ）は放水を制限していない時の状態を示す図である。
【図９】本発明の第３実施形態を示す系統図であり、放水銃に取り付けられた状態を示すと共に、（ａ）は放水を制限している時の状態を示し、（ｂ）は放水を制限していない時の状態を示す図である。
【図１０】本発明の第４実施形態を示す系統図であり、放水銃に取り付けられた状態を示すと共に、（ａ）は放水を制限している時の状態を示し、（ｂ）は放水を制限していない時の状態を示す図である。
【図１１】本発明の第５実施形態を示す系統図であり、放水銃に取り付けられた状態を示すと共に、（ａ）は放水を制限している時の状態を示し、（ｂ）は放水を制限していない時の状態を示す図である。
【図１２】本発明の第６実施形態を示す系統図であり、放水銃に取り付けられた状態を示すと共に、（ａ）は放水を制限している時の状態を示し、（ｂ）は放水を制限していない時の状態を示す図である。
【図１３】本発明の第７実施形態を示す系統図であり、放水銃に取り付けられた状態を示すと共に、（ａ）は放水を制限している時の状態を示し、（ｂ）は放水を制限していない時の状態を示す図である。
【図１４】本発明の第８実施形態を示す系統図であり、放水銃に取り付けられた状態を示すと共に、（ａ）は放水を制限している時の状態を示し、（ｂ）は放水を制限していない時の状態を示す図である。
【発明を実施するための形態】
【００２０】
本発明の第１実施形態を図１乃至７に基づき説明する。
【００２１】
先ず、本実施形態の構成について説明する。放水制限装置Ｄは圧力検知部１、デフレクタ部２及びデフレクタ制御部３を備えている。本実施形態において、放水制限装置Ｄは放水銃Ｍに取り付けられている。
【００２２】
放水銃Ｍは、基台部４、管鎗５及び接続具６を備えている。基台部４はボールコック本体４０、回転台４１を有する。ボールコック本体４０には内部のボール弁４０ａと軸受４０ｂを介して接続される切替レバー４２が取り付けられており、その底部４０ｃには配水管７を介して加圧送水装置（図示せず）に接続される給水口４０ｄが形成されている。又、回転台４１は、その内部に流路４１ｂが形成された管状の部材であり、接続具６の傾斜角を変えることで放水角度を調整するための把持部４３が取り付けられている。
【００２３】
接続具６は回転台４１の腕部４１ａ，４１ａに挟持されることによって回転台４１の上部と回動可能に接続されている。管鎗５は管鎗本体５０とその先端に形成され、放水部としての先細のノズル部５１を有する。管鎗本体５０の基端は接続具６を介して回転台４１の流路４１ｂに接続されている。
【００２４】
圧力検知部１はパイロット弁１０、圧力信号配管１１及び排水管１２を備えている。パイロット弁１０は、二方弁である弁部１０ａ及び放水圧力を感知する感圧部１０ｂを備え、弁部１０ａと感圧部１０ｂは区画壁１０ｃによって区画されている。弁部１０ａは、流入口１０ａ１が形成された第１室１０ａ４と、排出口１０ａ２が形成された第２室１０ａ６とを有し、第１室１０ａ４及び第２室１０ａ６は弁座壁１０ａ３の中央に形成された連通口１０ａ５によって連通している。排出口１０ａ２は排水管１２に接続されている。又、感圧部１０ｂには流入口１０ｂ１が形成されている。
【００２５】
パイロット弁１０内には区画壁１０ｃを貫通する様に設けられるジスク１０ｅを有する。ジスク１０ｅの上端側は更に連通口１０ａ５に挿入されている。ジスク１０ｅの上端には弁体１０ｅ１が形成され、その下端の周縁はダイアフラム１０ｄに固定されている。又、パイロット弁１０には、ジスク１０ｅを圧力水ｗの圧力ｐに抗する方向に付勢するスプリング１３ａを有する圧力調整ネジ１３が設けられている。
【００２６】
圧力信号配管１１は、一端が接続具６を介して回転台４１の流路４１ｂに接続された基管１１ａを備え、基管１１ａの他端は弁部側分岐管１１ｃ及び感圧部側分岐管１１ｄに分岐している。弁部側分岐管１１ｃは、オリフィス１１ｂを有し、その二次側は更に分岐している。弁部側分岐管１１ｃの一端はパイロット弁１０の弁部１０ａの流入口１０ａ１に接続されており、他端は制御部側分岐管１４を介してデフレクタ制御部３の流通口３０ａに接続されている。
【００２７】
尚、オリフィス１１ｂの流過面積は、パイロット弁１０及び排出管１２の流過面積より狭く設定されており、パイロット弁１０が開放している時には、オリフィス１１ｂを通過した圧力水ｗは全て排出管１２から排出できる様に構成されている。
【００２８】
デフレクタ制御部３は、シリンダ３０、内部に設けられたピストン部３１及びアーム部３２を備えている。本実施形態においては、シリンダ３０は、２つの固定具Ｃ１，Ｃ２によって管鎗本体５０に固定されている。シリンダ３０の下端には、制御部側分岐管１４が接続される流通口３０ａが形成され、その内部には、ピストン部３１の受圧板３１ｂの前面側にピストン室３０ｄを形成するための空間３０ｂが形成されている。又、空間３０ｂの上部にはピストン部３１の受圧板３１ｂを圧力水ｗの圧力ｐに抗する方向に付勢するスプリング３０ｃが設けられる。
【００２９】
ピストン部３１は、ロッド部３１ａ及び前記受圧板３１ｂとから為る。ロッド部３１ａはシリンダ３０の底壁を貫通する様に設けられ、その先端は径大となっており、スプリング３０ｃに挿入されている。又、受圧板３１ｂは、シリンダ３０の空間３０ｂ内を範囲ａ１間で移動できる様に取り付けられている。
【００３０】
又、アーム部３２は略く字状で１対の第１アーム３２ａ及び直状の第２アーム３２ｂを有する。第２アーム３２ｂの下端はロッド部３１ａの下端部３１ａ１に支持部３３を介して固定されており、その上端には第１アーム３２ａが軸部３４を介して軸支されている。１対の第１アーム３２ａ，３２ａは、一端が第２アーム３２ｂの先端に上下に移動しながら矢印ａ２方向に回動可能に軸支されると共にその頂部３２ａ１で固定具Ｃ１に固定された軸支部３２ｃに矢印ａ３方向に回動可能に軸支され、そして、他端はデフレクタ部２が取り付けられている。
【００３１】
デフレクタ部２は、箱形の部材であり、放水制限時に開口部２ａが管鎗５のノズル部５１と対向する位置に来る様に１対の第１アーム３２ａ，３２ａに固定されている。
【００３２】
次に、放水制限装置Ｄが取り付けられた放水銃Ｍにおける動作の工程について説明する。
（１）加圧送水装置を作動させ、ボールコック本体４０に圧力水ｗを供給する。その後、切替レバー４２を操作し、ボールコック本体４０のボール弁４０ａを開けて流路４１ｂに圧力水ｗを流通させる。
【００３３】
（２）圧力水ｗは管鎗５に供給されると共に圧力信号配管１１の基管１１ａに供給される。基管１１ａに供給された圧力水ｗは感圧部側分岐管１１ｄを経由して圧力検知部１の感圧部１０ｂに流入すると共にオリフィス１１ｂ及び弁部側分岐管１１ｃを経由して弁部１０ａに流入する。
【００３４】
この際、ジスク１０ｅの弁体１０ｅ１と弁座１０ａ３は離間しているため、弁部１０ａに流入した圧力水ｗは排水管１２をから排出されることとなる。又、管鎗５に供給された放水圧の低い圧力水ｗは、デフレクタ部２がノズル部５１と対向する位置にあるため、デフレクタ部５１に妨げられ、前方には放水されず下方又は後方に排出されることとなる。
【００３５】
（３）圧力水ｗの圧力ｐが圧力調整ネジ１３のスプリング１３ａの付勢力ｆ１以上、つまり規定値以上になると、圧力ｐによってダイアフラム１０ｄが反転すると共にジスク１０ｅが押し下げられ、弁体１０ｅ１と弁座１０ａ３が圧接される。そして、排水管１２からの圧力水ｗの排水が停止されると共に制御部側分岐管１４を介してシリンダ３０に圧力水ｗが流入する。
【００３６】
（４）制御部側分岐管１４に流入した圧力水ｗは、デフレクタ制御部３のシリンダ３０の流通口３０ａを介してピストン室３０ｄに流入し、ピストン部３１の受圧板３１ｂを押し上げ、ロッド部３１ａを上方に向かって移動させる。ロッド部３１ａの移動に伴い、ロッド部３１ａに支持部３３を介して固定されているアーム部３２の第２アーム３２ｂも上方に移動する。
【００３７】
（５）第２アーム３２ｂの移動に伴い、第１アーム３２ａは頂部３２ａ１を中心として軸回転し、デフレクタ部２を下方に向かって回転させる。デフレクタ部２の回転に伴い、管鎗５のノズル部５１はデフレクタ部２より開放され、前方に向かって放水圧力が規定値以上の圧力水ｗを勢いよく放水する。
【００３８】
（６）放水後、切替レバー４２を操作して、ボールコック本体４０のボール弁４０ａを閉じると、圧力信号配管１１内の圧力水ｗの圧力ｐが低下するため、圧力調整ネジ１３のスプリング１３ａの付勢力ｆ１によってダイアフラム１０ｄが反転すると共にジスク１０ｅが押し上げられ、弁体１０ｅ１と弁座１０ａ３は再度離間し、排水管１２からの圧力水ｗの排水が再度開始される。
【００３９】
（７）その後、シリンダ３０のピストン室内の圧力水ｗは流通口３０ａから排出され、圧力水ｗの圧力ｐが弱まると、ロッド部３１ａはスプリング３０ｃの付勢力ｆ２によって下方に向かって移動する。そして、アーム部３２及びデフレクタ部２は上記工程（４）及び（５）とは逆に動き、再度デフレクタ部２はノズル部５１と対向する位置に移動する。これによって、放水圧の低くなった管鎗５の残水はデフレクタ部２によって前方には放水されず下方又は後方に排出される。
【００４０】
本発明の第２実施形態を備えた放水銃Ｍについて、図８に基づき説明する。第１実施形態との相違は、二方弁のパイロット弁の１０の替わりに三方弁のパイロット弁１０Ａを設けたことである。尚、第１実施形態と同一の符号の構成については第１実施形態と同様であるので説明は省略する。
【００４１】
本実施形態の圧力信号配管１１Ａは、基管１１ａの一端が分岐のない弁部側分岐管１１ｃと感圧部側分岐管１１ｄに分岐しており、弁部側分岐管１１ｃはオリフィス１１ｂの二次側でパイロット弁１０Ａと接続されている。
【００４２】
本実施形態では、パイロット弁１０Ａの弁部１０Ａａは常時は弁部側分岐管１１ｃと排水管１２とを連通しており、上記工程（２）及び（３）において、先ずは、圧力信号配管１１Ａを流通する圧力水ｗは排水管１２から排出されている。感圧部１０ｂ（パイロット弁１０Ａ）において、圧力水ｗの圧力ｐが規定値以上になった際に圧力水ｗの流路を切替え、弁部側分岐管１１ｃと制御部側分岐管１４を連通させる。これによって、圧力水ｗは、デフレクタ制御部３に供給され、そして、デフレクタ部２は回転し、管鎗５のノズル部５１はデフレクタ部２より開放される。
【００４３】
又、上記工程（７）において、感圧部１０ｂ（パイロット弁１０Ａ）における圧力水ｗの圧力ｐが規定値未満になった際には、パイロット弁１０Ａの弁部１０Ａａは制御部側分岐管１４と排水管１２とを連通させ、デフレクタ制御部３内の圧力水ｗが制御部側分岐管１４を介して排水管１２から排出されることでデフレクタ部２はノズル部５１と対向する位置に移動する。
【００４４】
本発明の第３実施形態を備えた放水銃Ｍについて図９に基づき説明する。第１実施形態との相違はパイロット弁１０の替わりに二方弁である電動弁１５及び電動弁１５を駆動させるモータ１５ａを設け、圧力スイッチ１６及び制御盤１７を備えることである。尚、第１及び第２実施形態と同一の符号の構成については同実施形態と同様であるので説明は省略する。
【００４５】
本実施形態の圧力信号配管１１Ｂは、弁部側分岐管１１ｃの一端が電動弁１５に接続され、他端が制御部側分岐管１４を介してシリンダ３０の流通口３０ａ接続されており、感圧部側分岐管１１ｄは、圧力水ｗの圧力ｐが規定値以上になった際に作動する、つまり、「オン」となる圧力スイッチ１６の感圧部に接続されている。
【００４６】
本実施形態では、電動弁１５は常時は開放されており、上記工程（２）及び（３）において、先ずは、圧力信号配管１１Ｂを流通する圧力水ｗは排水管１２から排出されている。圧力水ｗの圧力ｐが規定値以上になった際に、圧力スイッチ１６は制御盤１７に「オン」の信号を送信し、制御盤１７は電動弁１５を閉鎖する。これによって、圧力水ｗは、デフレクタ制御部３に供給され、そして、デフレクタ部２は回転し、管鎗５のノズル部５１はデフレクタ部２より開放される。
【００４７】
又、上記工程（７）において、圧力水ｗの圧力ｐが規定値未満になり、圧力スイッチ１６の作動が停止した際、つまり、圧力スイッチ１６が「オフ」に状態になった際には、再度、制御盤１７は電動弁１５を開放し、デフレクタ制御部３内の圧力水ｗが制御部側分岐管１４を介して排水管１２から排出されることでデフレクタ部２はノズル部５１と対向する位置に移動する。
【００４８】
本発明の第４実施形態を備えた放水銃Ｍについて図１０に基づき説明する。第２実施形態との相違はパイロット弁１０Ａの替わりに三方弁である電動弁１５Ａ及び電動弁１５Ａを駆動させるモータ１５ａを設け、圧力スイッチ１６及び制御盤１７を備えることである。尚、第１乃至第３実施形態と同一の符号の構成については同実施形態と同様であるので説明は省略する。
【００４９】
本実施形態の圧力信号配管１１Ｃは、弁部側分岐管１１ｃの一端が電動弁１５に接続されており、又、感圧部側分岐管１１ｄの一端が圧力スイッチ１６の感圧部に接続されている。
【００５０】
本実施形態では、電動弁１５Ａは常時は弁部側分岐管１１ｃと排水管１２とを連通しており、上記工程（２）及び（３）において、先ずは、圧力信号配管１１Ｃを流通する圧力水ｗは排水管１２から排出されている。圧力水ｗの圧力ｐが規定値以上になった際に、圧力スイッチ１６は「オン」の信号を制御盤１７に信号を送信し、制御盤１７は電動弁１５Ａの圧力水ｗの流路を切替え、弁部側分岐管１１ｃと制御部側配管１４を連通させる。これによって、圧力水ｗは、デフレクタ制御部３に供給され、そして、デフレクタ部２は回転し、管鎗５のノズル部５１はデフレクタ部２より開放される。
【００５１】
又、上記工程（７）において、圧力水ｗの圧力ｐが規定値未満になり、圧力スイッチ１６の作動が停止した際、つまり、圧力スイッチ１６が「オフ」に状態になった際には、制御盤１７は電動弁１５Ａの圧力水ｗの流路を切替え、制御部側分岐管１４と排水管１２とを連通させ、デフレクタ制御部３内の圧力水ｗが制御部側分岐管１４を介して排水管１２から排出されることでデフレクタ部２はノズル部５１と対向する位置に移動する。
【００５２】
本発明の第５実施形態を備えた放水銃Ｍについて図１１に基づき説明する。第３実施形態との相違は圧力スイッチ１６の替わりに圧力センサ１８を設けたことである。尚、第１乃至第４実施形態と同一の符号の構成については同実施形態と同様であるので説明は省略する。
【００５３】
本実施形態の圧力信号配管１１Ｄは、感圧部側配管１１ｄの一端が圧力水ｗの圧力ｐを測定する圧力センサ１８の圧力測定部に接続されている。
【００５４】
本実施形態では、電動弁１５は常時は開放されており、上記工程（２）及び（３）において、先ずは、圧力信号配管１１Ｄを流通する圧力水ｗは排水管１２から排出されている。圧力センサ１８が規定値以上の圧力水ｗの圧力ｐを検出した際に、圧力センサ１８は制御盤１７に信号を送信し、制御盤１７は電動弁１５を閉鎖する。これによって、圧力水ｗは、デフレクタ制御部３に供給され、そして、デフレクタ部２は回転し、管鎗５のノズル部５１はデフレクタ部２より開放される。
【００５５】
又、上記工程（７）において、圧力センサ１８が、圧力水ｗの圧力ｐが規定値未満になったことを検出すると、圧力センサ１８は制御盤１７に信号を送信し、その信号に基づき、再度、制御盤１７は電動弁１５を開放し、デフレクタ制御部３内の圧力水ｗが制御部側分岐管１４を介して排水管１２から排出されることでデフレクタ部２はノズル部５１と対向する位置に移動する。
【００５６】
本発明の第６実施形態を備えた放水銃Ｍについて図１２に基づき説明する。第４実施形態との相違は圧力スイッチ１６の替わりに圧力センサ１８を設けたことである。尚、第１乃至第５実施形態と同一の符号の構成については同実施形態と同様であるので説明は省略する。
【００５７】
本実施形態の圧力信号配管１１Ｅは、感圧部側配管１１ｄの一端が圧力水ｗの圧力ｐを測定する圧力センサ１８の圧力測定部に接続されている。
【００５８】
本実施形態では、電動弁１５Ａは常時は弁部側分岐管１１ｃと排水管１２とを連通させ、上記工程（２）及び（３）において、先ずは、圧力信号配管１１Ｅを流通する圧力水ｗは排水管１２から排出されている。圧力センサ１８が規定値以上の圧力水ｗの圧力ｐを検出した際に、圧力センサ１８は制御盤１７に信号を送信し、制御盤１７は電動弁１５Ａの圧力水ｗの流路を切替え、弁部側分岐管１１ｃと制御部側分岐管１４を連通させる。これによって、圧力水ｗは、デフレクタ制御部３に供給され、そして、デフレクタ部２は回転し、管鎗５のノズル部５１はデフレクタ部２より開放される。
【００５９】
又、上記工程（７）において、圧力センサ１８が、圧力水ｗの圧力ｐが規定値未満になったことを検出すると、圧力センサ１８は制御盤１７に信号を送信し、その信号に基づき、制御盤１７は電動弁１５Ａの圧力水ｗの流路を切替え、制御部側分岐管１４と排水管１２とを連通させ、デフレクタ制御部３内の圧力水ｗが制御部側分岐管１４を介して排水管１２から排出されることでデフレクタ部２はノズル部５１と対向する位置に移動する。
【００６０】
本発明の第７実施形態を備えた放水銃Ｍについて、図１３に基づき説明する。第１実施形態との相違は、デフレクタ制御部３のシリンダ３０及びピストン部３１に替えて電動シリンダ３５及びモータ制御のピストン部３６を設け、圧力スイッチ１６及び制御盤１７を備えることである。尚、第１乃至第６実施形態と同一の符号の構成については同実施形態と同様であるので説明は省略する。
【００６１】
本実施形態の圧力信号配管１１Ｆは、圧力スイッチ１６の感圧部に接続されている。又、デフレクタ制御部３の第２アーム３２ｂはピストン部３６と連動して動く様になっている。本実施形態では、上記工程（２）乃至（４）において、圧力水ｗの圧力ｐが規定値以上になった際に、圧力スイッチ１６は「オン」の信号を制御盤１７に送信し、制御盤１７はピストン部３６を駆動するモータを稼動させピストン部３６を上方に向かって移動させる。ピストン部３６に固定されているアーム部３２の第２アーム３２ｂも上方に移動する。これによって、上記工程（５）と同様にデフレクタ部２は回転し、管鎗５のノズル部５１はデフレクタ部２より開放される。
【００６２】
又、上記工程（７）において、圧力水ｗの圧力ｐが規定値未満になり、圧力スイッチ１６の作動が停止した際、つまり、「オフ」となった際には、制御盤１７はピストン部３６を駆動するモータを稼動させピストン部３６を下方に、つまり元の位置へと移動させ、その移動に伴って、デフレクタ部２はノズル部５１と対向する位置に移動する。
【００６３】
本発明の第８実施形態を備えた放水銃Ｍについて、図１４に基づき説明する。第７実施形態との相違は、圧力スイッチ１６の替わりに圧力センサ１８を設けたことである。尚、第１乃至第７実施形態と同一の符号の構成については同実施形態と同様であるので説明は省略する。
【００６４】
本実施形態の圧力信号配管１１Ｇは、圧力センサ１８の圧力測定部に接続されている。本実施形態では、上記工程（２）乃至（４）において、圧力センサ１８が規定値以上の圧力水ｗの圧力ｐを検出した際に、圧力センサ１８は制御盤１７に信号を送信し、制御盤１７はピストン部３６を駆動するモータを稼動させピストン部３６を上方に向かって移動させる。ピストン部３６に固定されているアーム部３２の第２アーム３２ｂも上方に移動する。これによって、上記工程（５）と同様にデフレクタ部２は回転し、管鎗５のノズル部５１はデフレクタ部２より開放される。
【００６５】
又、上記工程（７）において、圧力センサ１８が、圧力水ｗの圧力ｐが規定値未満になったことを検出すると、圧力センサ１８は制御盤１７に信号を送信し、その信号に基づき、制御盤１７はピストン部３６を駆動するモータを稼動させピストン部３６を下方に、つまり元の位置へと移動させ、その移動に伴って、デフレクタ部２はノズル部５１と対向する位置に移動する。
【００６６】
以上、本発明を第１乃至第８実施形態に分けて説明したが、本発明は上記実施形態に限定されるものではなく、又、適宜上記実施形態を組み合わせることも可能である。又、本発明は、放水銃Ｍの様な放水銃にのみ適用されるものではなく、消火設備や火炎抑制設備に用いられて放水するノズルやヘッド等、他の種類の放水装置にも使用可能である。例えば、開放型ヘッドを配管に固定した水噴霧消火設備や水幕設備等にも使用可能である。この場合、１つの放水制限装置Ｄで複数の開放型ヘッドやノズル等の放水を制限する様にしても良い。
【符号の説明】
【００６７】
Ｄ        放水制限装置    １        圧力検知部        １０      パイロット弁
１０ａ    弁部            １０ａ１  流入口            １０ａ２  排出口
１０ａ３  弁座壁          １０ａ４  第１室            １０ａ５  連通口
１０ａ６  第２室          １０ｂ    感圧部            １０ｂ１  流入口
１０ｃ    区画壁          １０ｄ    ダイアグラム      １０ｅ    ジスク
１０ｅ１  弁体            １１      圧力信号配管      １１ａ    基管
１１ｂ    オリフィス      １１ｃ    弁部側分岐管      １１ｄ    感圧部側分岐管
１２      排水管          １３      圧力調整ネジ      １３ａ    スプリング
１４      制御部側配管    １５      電動弁            １５ａ    モータ
１６      圧力スイッチ    １７      制御盤            １８      圧力センサ
２        デフレクタ部    ２ａ      開口部            ３        デフレクタ制御部
３０      シリンダ部      ３０ａ    流通口            ３０ｂ    空間
３０ｃ    スプリング      ３０ｄ    ピストン室        ３１      ピストン部
３１ａ    ロッド部        ３１ａ１  下端部            ３１ｂ    受圧板
３２      アーム部        ３２ａ    第１アーム        ３２ａ１  頂部
３２ｂ    第２アーム      ３２ｃ    軸支部            ３３      支持部
３４      軸部            ３５      電動シリンダ      ３６      ピストン部
Ｍ        放水銃          ４        基台部            ４０      ボールコック本体
４０ａ    ボール弁        ４０ｂ    軸受              ４０ｃ    底部
４０ｄ    給水口          ４１      回転台            ４１ａ    腕部
４１ｂ    流路            ４２      切替レバー        ４３      把持部
５        管鎗            ５０      管鎗本体          ５１      ノズル部
６        接続具          ７        配水管            Ｃ１      固定具
Ｃ２      固定具          ｆ１      付勢力            ｆ２      付勢力
ｐ        圧力            ｗ        圧力水
【図１】
0005869938.tif 000002
【図２】
0005869938.tif 000003
【図３】
0005869938.tif 000004
【図４】
0005869938.tif 000005
【図５】
0005869938.tif 000006
【図６】
0005869938.tif 000007
【図７】
0005869938.tif 000008
【図８】
0005869938.tif 000009
【図９】
0005869938.tif 000010
【図１０】
0005869938.tif 000011
【図１１】
0005869938.tif 000012
【図１２】
0005869938.tif 000013
【図１３】
0005869938.tif 000014
【図１４】
0005869938.tif 000015